(57)【要約】      （修正有）【課題】電子機器のコンテンツを表示装置に表示させるための操作が煩雑になることを抑制することにより、ユーザの利便性を向上することが可能な表示装置を提供する。【解決手段】テレビジョン装置１（表示装置）は、表示画面２ａを有するとともに、コンテンツ再生機能を有する携帯端末２（電子機器）と通信可能な通信部と、携帯端末２の表示画面２ａに表示される携帯端末２の表示画像２ｂを表示可能な表示部１１と、通信部を介して携帯端末２に表示される表示画像２ｂを取得するとともに、表示部１１に表示させる制御部とを備える。制御部は、携帯端末２の位置および／または姿勢の変化に関する情報を取得するとともに、取得した携帯端末２の位置および／または姿勢の変化に関する情報に基づいて、携帯端末２の表示画面２ａに表示される表示画像２ｂを表示部１１に表示させる制御を行うように構成されている。【選択図】図３
2015076802.tif 000002
【特許請求の範囲】
【請求項１】
電子機器側表示画面を有するとともに、コンテンツ再生機能を有する電子機器と通信可能な通信部と、
前記電子機器の前記電子機器側表示画面に表示される電子機器側表示画像を表示可能な表示部と、
前記通信部を介して前記電子機器に表示される前記電子機器側表示画像を取得するとともに、前記表示部に表示させる制御部とを備え、
前記制御部は、前記電子機器の位置および姿勢の少なくともいずれか一方の変化に関する第１情報を取得するとともに、取得した前記第１情報に基づいて、前記電子機器の前記電子機器側表示画面に表示される前記電子機器側表示画像を前記表示部に表示させる制御を行うように構成されている、表示装置。
【請求項２】
前記制御部は、前記第１情報に基づいて、前記電子機器の位置および姿勢の少なくともいずれか一方が変化したと判別された場合には、少なくとも前記電子機器側表示画像を前記表示部に表示させる制御を行うように構成されている、請求項１に記載の表示装置。
【請求項３】
前記制御部は、前記第１情報に基づいて、前記電子機器の位置および姿勢の少なくともいずれか一方が変化したと判別された場合には、前記表示部に表示されているとともに前記電子機器側表示画像とは異なる表示画像と、前記電子機器側表示画像との両方を前記表示部に表示させる制御を行うように構成されている、請求項２に記載の表示装置。
【請求項４】
前記制御部は、さらに前記電子機器のコンテンツの再生状態に関する第２情報を取得するとともに、前記第１情報に関わらず、前記第２情報に基づいて前記電子機器のコンテンツが再生されていると判別された場合には、前記電子機器側表示画像を前記表示部に表示させる制御を行うように構成されている、請求項１〜３のいずれか１項に記載の表示装置。
【請求項５】
前記制御部は、前記第２情報に基づいて、前記電子機器のコンテンツが再生されていると判別された場合には、前記電子機器側表示画像を前記表示部の全領域にわたって表示させる制御を行うように構成されている、請求項４に記載の表示装置。
【請求項６】
前記制御部は、前記第２情報に基づいて前記電子機器のコンテンツが再生されていないと判別された場合で、かつ、前記第１情報に基づいて前記電子機器の位置および姿勢が変化していないと判別された場合には、再生中に前記表示部に表示されていた前記電子機器側表示画像の前に前記表示部に表示されていた前記電子機器側表示画像とは異なる表示画像を前記表示部に表示させる制御を行うように構成されている、請求項４または５に記載の表示装置。
【請求項７】
前記制御部は、前記通信部を介して前記電子機器と接続されていないと判別された場合には、コンテンツ再生中に前記表示部に表示されていた前記電子機器側表示画像の前に前記表示部に表示されていた前記電子機器側表示画像とは異なる表示画像を前記表示部に表示させる制御を行うように構成されている、請求項４〜６のいずれか１項に記載の表示装置。
【請求項８】
前記制御部は、前記表示装置側表示画像と前記電子機器側表示画像との両方を前記表示部に表示させる場合に、さらに前記電子機器の前記表示部に対する相対位置に関する第３情報を取得するとともに、前記第３情報に基づいて前記電子機器の前記表示部に対する相対位置を把握し、把握した前記電子機器の前記表示部に対する相対位置に応じて、前記電子機器側表示画像の前記表示部における表示位置および表示サイズの少なくともいずれか一方を変化させる制御を行うように構成されている、請求項３に記載の表示装置。
【請求項９】
音声を出力するスピーカ部をさらに備え、
前記制御部は、さらに前記電子機器の前記表示部に対する相対位置に関する第３情報を取得するとともに、前記第３情報に基づいて前記電子機器の前記表示部に対する相対位置を把握し、把握した前記電子機器の前記表示部に対する相対位置に応じて、前記スピーカ部から出力される音声の音量を変化させる制御を行うように構成されている、請求項１〜８のいずれか１項に記載の表示装置。
【発明の詳細な説明】
【技術分野】
【０００１】
この発明は、表示装置に関し、特に、コンテンツ再生機能を有する電子機器と通信可能な表示装置に関する。
【背景技術】
【０００２】
従来、コンテンツ再生機能を有する電子機器と通信可能な表示装置が知られている（たとえば、特許文献１参照）。
【０００３】
上記特許文献１には、アプリケーション（コンテンツ）の映像を表示する携帯端末側表示部とアプリケーションのデータを外部出力可能な外部出力部とを備える携帯端末と、この携帯端末と出力ケーブルを介して接続される外部表示装置とが開示されている。この外部表示装置では、出力ケーブルを介して取得した携帯端末のアプリケーションの映像を外部表示装置側表示部に出力可能に構成されている。
【先行技術文献】
【特許文献】
【０００４】
【特許文献１】国際公開ＷＯ２００７／０３２４０７号公報
【発明の概要】
【発明が解決しようとする課題】
【０００５】
しかしながら、上記特許文献１に記載の外部表示装置では、携帯端末のアプリケーションの映像を外部表示装置側表示部に出力させる際に、たとえば、外部表示装置のリモコンにより映像選択（入力ソース選択）などの操作を行った後、携帯端末側でアプリケーションの再生操作を行うことにより携帯端末のアプリケーションの映像を外部表示装置側表示部に表示させる必要があると考えられる。このため、ユーザが携帯端末のアプリケーションの映像を外部表示装置に表示させる場合に、ユーザによる表示のための操作が煩雑になるという問題点がある。
【０００６】
この発明は、上記のような課題を解決するためになされたものであり、この発明の１つの目的は、電子機器のコンテンツを表示装置に表示させるための操作が煩雑になることを抑制することにより、ユーザの利便性を向上することが可能な表示装置を提供することである。
【課題を解決するための手段】
【０００７】
この発明の一の局面による表示装置は、電子機器側表示画面を有するとともに、コンテンツ再生機能を有する電子機器と通信可能な通信部と、電子機器の電子機器側表示画面に表示される電子機器側表示画像を表示可能な表示部と、通信部を介して電子機器に表示される電子機器側表示画像を取得するとともに、表示部に表示させる制御部とを備え、制御部は、電子機器の位置および姿勢の少なくともいずれか一方の変化に関する第１情報を取得するとともに、取得した第１情報に基づいて、電子機器の電子機器側表示画面に表示される電子機器側表示画像を表示部に表示させる制御を行うように構成されている。
【０００８】
この発明の一の局面による表示装置では、上記のように、電子機器の位置および姿勢の少なくともいずれか一方の変化に関する第１情報を取得するとともに、取得した第１情報に基づいて、電子機器の電子機器側表示画面に表示される電子機器側表示画像を表示部に表示させる制御を行うように制御部を構成することによって、ユーザが電子機器を把持して使用する際（ユーザが電子機器のコンテンツを表示部に表示させようとする際）に付随して発生する電子機器の位置や姿勢の変化（第１情報）に基づいて、電子機器側表示画像を表示部に表示させることができる。これにより、映像選択（入力ソース選択）などの操作が不要となり、ユーザは、そのままコンテンツの再生操作を行うことにより、コンテンツとしての電子機器側表示画像を視聴することができる。この結果、電子機器のコンテンツを表示装置の表示部に表示させるための操作が煩雑になることを抑制することができるので、ユーザの利便性を向上することができる。
【０００９】
上記一の局面による表示装置において、好ましくは、制御部は、第１情報に基づいて、電子機器の位置および姿勢の少なくともいずれか一方が変化したと判別された場合には、少なくとも電子機器側表示画像を表示部に表示させる制御を行うように構成されている。このように構成すれば、ユーザが電子機器のコンテンツとしての電子機器側表示画像を表示装置の表示部に表示させようとする際の動作に付随する位置変化や姿勢変化に柔軟に対応して表示部への表示を行うことができるので、ユーザの利便性をより向上することができる。
【００１０】
この場合、好ましくは、制御部は、第１情報に基づいて、電子機器の位置および姿勢の少なくともいずれか一方が変化したと判別された場合には、表示部に表示されていた電子機器側表示画像とは異なる表示画像と、電子機器側表示画像との両方を表示部に表示させる制御を行うように構成されている。このように構成すれば、ユーザは、表示装置の一の表示部において電子機器側表示画像とは異なる表示画像と電子機器側表示画像との両方の表示画像を同時に享受することができる。
【００１１】
上記一の局面による表示装置において、好ましくは、制御部は、さらに電子機器のコンテンツの再生状態に関する第２情報を取得するとともに、第１情報に関わらず、第２情報に基づいて電子機器のコンテンツが再生されていると判別された場合には、電子機器側表示画像を表示部に表示させる制御を行うように構成されている。このように構成すれば、電子機器の位置および姿勢の少なくともいずれか一方の変化に関する第１情報を取得できない場合にも、電子機器のコンテンツの再生状態に関する第２情報に基づいて電子機器側表示画像を表示部に確実に表示させることができる。また、電子機器のコンテンツが再生されている場合には、ユーザにより特別な操作をすることなく電子機器側表示画像を表示装置の表示部に表示させることができるので、電子機器のコンテンツを表示装置の表示部に表示させるための操作が煩雑になることをより抑制することができる。
【００１２】
この場合、好ましくは、制御部は、第２情報に基づいて、電子機器のコンテンツが再生されていると判別された場合には、電子機器側表示画像を表示部の全領域にわたって表示させる制御を行うように構成されている。このように構成すれば、ユーザは、電子機器のコンテンツを再生するだけで特別な操作を要することなく、全画面表示状態でコンテンツとしての電子機器側表示画像を視聴することができる。これにより、ユーザの利便性をさらに向上することができる。
【００１３】
上記制御部が電子機器のコンテンツの再生状態に関する第２情報を取得する構成において、好ましくは、制御部は、第２情報に基づいて電子機器のコンテンツが再生されていないと判別された場合で、かつ、第１情報に基づいて電子機器の位置および姿勢が変化していないと判別された場合には、再生中に表示部に表示されていた電子機器側表示画像の前に表示部に表示されていた電子機器側表示画像とは異なる表示画像を表示部に表示させる制御を行うように構成されている。このように構成すれば、たとえば、コンテンツの再生（視聴）終了後など、電子機器側表示画像を表示部に表示させる必要がない場合には、ユーザにより特別な操作をすることなく、再生中に表示部に表示させた電子機器側表示画像の前に元々表示されていた表示装置側の表示画像を表示部に表示させる（戻す）ことができる。これにより、表示装置の表示切替操作が煩雑になることを抑制することができるので、ユーザの利便性をより向上することができる。
【００１４】
上記制御部が電子機器のコンテンツの再生状態に関する第２情報を取得する構成において、好ましくは、制御部は、通信部を介して電子機器と接続されていないと判別された場合には、コンテンツ再生中に表示部に表示されていた電子機器側表示画像の前に表示部に表示されていた電子機器側表示画像とは異なる表示画像を表示部に表示させる制御を行うように構成されている。このように構成すれば、電子機器と表示装置との接続状態が解除された場合にも、ユーザにより特別な操作をすることなく、再生中に表示部に表示させた電子機器側表示画像の前に元々表示されていた表示装置側の表示画像を表示部に表示させる（戻す）ことができる。これによっても、ユーザの利便性を向上することができる。
【００１５】
上記表示装置側表示画像と電子機器側表示画像との両方を表示部に表示する構成において、好ましくは、制御部は、表示装置側表示画像と電子機器側表示画像との両方を表示部に表示させる場合に、さらに電子機器の表示部に対する相対位置に関する第３情報を取得するとともに、第３情報に基づいて電子機器の表示部に対する相対位置を把握し、把握した電子機器の表示部に対する相対位置に応じて、電子機器側表示画像の表示部における表示位置および表示サイズの少なくともいずれか一方を変化させる制御を行うように構成されている。このように構成すれば、電子機器の表示部に対する相対位置を把握することにより、ユーザの表示部に対する相対位置を推定（仮定）することができる。これにより、推定されたユーザの表示部に対する相対位置に応じて、電子機器側表示画像の表示部における表示位置および表示サイズの少なくともいずれか一方を適切に変化させることができる。この結果、ユーザは、ユーザの表示部に対する相対位置に応じた適切な電子機器側表示画像を享受することができる。
【００１６】
上記一の局面による表示装置において、好ましくは、音声を出力するスピーカ部をさらに備え、制御部は、さらに電子機器の表示部に対する相対位置に関する第３情報を取得するとともに、第３情報に基づいて電子機器の表示部に対する相対位置を把握し、把握した電子機器の表示部に対する相対位置に応じて、スピーカ部から出力される音声の音量を変化させる制御を行うように構成されている。このように構成すれば、電子機器の表示部に対する相対位置から、ユーザの表示部に対する相対位置を推定するとともに、推定されたユーザの表示部に対する相対位置に応じた適切な音量の音声を出力することができる。
【発明の効果】
【００１７】
電子機器のコンテンツを表示装置に表示させるための操作が煩雑になることを抑制することにより、ユーザの利便性を向上することが可能な表示装置を提供することができる。
【図面の簡単な説明】
【００１８】
【図１】本発明の第１実施形態によるテレビジョン装置と携帯端末との接続状態を示す図である。
【図２】本発明の第１実施形態によるテレビジョン装置と携帯端末との構成を示すブロック図である。
【図３】携帯端末の位置および／または姿勢が変化した場合にテレビジョン装置の表示部に表示される表示画像を示す図である。
【図４】携帯端末のコンテンツが再生された場合にテレビジョン装置の表示部に表示される表示画像を示す図である。
【図５】本発明の第１実施形態によるテレビジョン装置の表示画像切替処理を示すフローチャートである。
【図６】図５において携帯端末が表示画像切替処理に対応していない場合のテレビジョン装置の表示画像切替処理を示すフローチャートである。
【図７】本発明の第２実施形態によるテレビジョン装置と携帯端末との構成を示すブロック図である。
【図８】携帯端末のテレビジョン装置に対する相対位置に応じた表示画像の変化を示す概念図である。
【図９】携帯端末のテレビジョン装置に対する相対位置に応じた音量の調整を示す概念図である。
【図１０】本発明の第２実施形態によるテレビジョン装置の表示画像切替処理を示すフローチャートである。
【図１１】本発明の第３実施形態によるテレビジョン装置の位置設定の入力操作を説明するための図である。
【図１２】本発明の第１実施形態によるテレビジョン装置の第１変形例を説明するための図である。
【図１３】本発明の第１実施形態によるテレビジョン装置の第２変形例を説明するための図である。
【発明を実施するための形態】
【００１９】
以下、本発明を具体化した実施形態を図面に基づいて説明する。
【００２０】
（第１実施形態）
図１〜図６を参照して、本発明の第１実施形態によるテレビジョン装置１の構成について説明する。なお、テレビジョン装置１は、本発明の「表示装置」の一例である。
【００２１】
本発明の第１実施形態によるテレビジョン装置１は、図１に示すように、コンテンツを再生可能な携帯端末２とＭＨＬ（登録商標）（Ｍｏｂｉｌｅ  Ｈｉｇｈ−Ｄｅｆｉｎｉｔｉｏｎ  Ｌｉｎｋ）ケーブル１００により相互接続可能に構成されている。なお、ＭＨＬは、音声データ、画像データおよび制御信号を伝送可能な所定のケーブル（ＭＨＬケーブル）で２つの機器を接続して機器間の連携動作を行うことが可能なインターフェース規格である。また、携帯端末２は、多機能携帯端末であり、複数のコンテンツデータを有するとともに、これらのコンテンツを再生可能なメディアプレーヤなどのソフトウェアを有している。ここで、コンテンツとは、たとえば、インターネットまたは外部媒体から取り入れた動画像や、カメラにより撮像された写真などの静止画像などが挙げられる。なお、携帯端末２は、本発明の「電子機器」の一例である。
【００２２】
テレビジョン装置１は、通常時（携帯端末２と未接続時）には、テレビ番組や、ハードディスク、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ（登録商標））などの記憶媒体に記憶された映像などの表示画像１ａが表示部１１に表示されるように構成されている。また、テレビジョン装置１は、ＭＨＬケーブル１００を介して伝送された携帯端末２の表示画面２ａに表示されている表示画像をも表示部１１に表示可能に構成されている。詳細には、テレビジョン装置１は、コンテンツ非再生時の携帯端末２の表示画像２ｂと、後述するコンテンツ再生時の携帯端末２の表示画像２ｃ（図４参照）とを表示部１１に表示可能に構成されている。より詳細には、テレビジョン装置１は、元々テレビジョン装置１に表示されていた表示画像１ａと、コンテンツ非再生時の携帯端末２の表示画像２ｂとを同時に表示部１１に表示可能に構成されている。この第１実施形態では、表示部１１に表示画像１ａのみが表示される場合、表示部１１に表示画像１ａおよび表示画像２ｂの両方が表示される場合、表示部１１に表示画像２ｃのみが表示される場合の３つの場合について説明する。この表示部１１に表示画像１ａ、２ｂおよび２ｃを表示させる処理については、後段において詳述する。なお、図１に示すテレビジョン装置１は、表示部１１に表示画像１ａのみが表示される場合を示している。また、表示画面２ａは、本発明の「電子機器側表示画面」の一例である。また、表示画像２ｂおよび２ｃは、本発明の「電子機器側表示画像」の一例である。
【００２３】
次に、テレビジョン装置１および携帯端末２の各構成要素について図２を参照して説明する。テレビジョン装置１は、図２に示すように、受信部１２と、通信部１３と、記憶部１４と、グラフィックス処理部１５と、ビデオデコーダ１６と、スケーリング部１７と、信号分離部１８と、スケーリング部１９と、オーバーレイ部２０と、ブレンド部２１と、画像処理部２２と、表示部１１とを備えている。また、テレビジョン装置１は、オーディオデコーダ２３と、ミキシング部２４と、Ｄ／Ａコンバータ２５と、スピーカ部２６と、制御部２７とを備えている。
【００２４】
受信部１２は、アンテナを介して放送波を受信するとともに、受信した放送波をＥＰＧ（Ｅｌｅｃｔｒｏｎｉｃ  Ｐｒｏｇｒａｍ  Ｇｕｉｄｅ）を構成するＳＩ（Ｓｅｒｖｉｃｅ  Ｉｎｆｏｒｍａｔｉｏｎ）信号と、符号化された映像信号と、符号化された音声信号とを分離して、それぞれグラフィックス処理部１５と、ビデオデコーダ１６と、オーディオデコーダ２３とに出力するように構成されている。なお、ＥＰＧとは、テレビ番組の視聴者の番組選択（視聴、録画）の補助を目的に提供されるサービスのことである。また、ＳＩとは、テレビ番組の開始時刻と時間長、番組名、番組内容などの情報のことであり、これらの情報によりＥＰＧが構成されるとともに、番組表や番組内容の表示、番組検索などのサービスが視聴者に提供される。
【００２５】
通信部１３は、ＭＨＬケーブル１００を介して携帯端末２の通信部３１と通信するように構成されている。また、通信部１３は、ＭＨＬケーブル１００を介して携帯端末２から携帯端末２の映像信号、音声信号、制御信号などの情報を取得するとともに、取得した映像信号および音声信号の情報を信号分離部１８に出力するように構成されている。また、通信部１３は、取得した制御信号の情報を制御部２７に出力するように構成されている。制御部２７は、この制御信号に基づいて、表示部１１に所定の表示画像を表示させるように、テレビジョン装置１の各構成要素（二点鎖線で囲む）を制御するように構成されている。
【００２６】
記憶部１４は、録画映像などのデータや、各種のプログラムなどを保持可能に構成されている。また、記憶部１４には、後述する表示部１１に表示画像２ｂおよび２ｃを表示させる処理を実行可能なプログラムが保持されているとともに、このプログラムを制御部２７に提供可能に構成されている。
【００２７】
グラフィックス処理部１５は、ＳＩ信号の内容を解析するとともに、解析したＳＩ信号に基づいてＥＰＧを構成し、ブレンド部２１に出力するように構成されている。
【００２８】
ビデオデコーダ１６は、放送波の符号化された映像信号を複号するとともに、スケーリング部１７に出力するように構成されている。
【００２９】
スケーリング部１７は、テレビジョン装置１の表示画像１ａ（図１参照）のみが表示部１１に表示される場合には、ビデオデコーダ１６により複合された映像信号に基づく映像（表示画像１ａ）をテレビジョン装置１の表示部１１の画面サイズに合うように、適切なサイズにスケーリング（拡大または縮小）するように構成されている。また、スケーリング部１７は、元々表示装置１に表示されていた表示装画像１ａと、コンテンツ非再生時の携帯端末２の表示画像２ｂ（図３参照）とを同時に表示部１１に表示する場合には、両方の表示画像が表示部１１に表示可能なように、表示画像１ａのサイズを適切なサイズにスケーリングするように構成されている。また、スケーリング部１７は、コンテンツ再生時の携帯端末２の表示画像２ｃ（図４参照）のみが表示部１１に表示される場合には、オーバーレイ部２０に表示画像１ａの情報を出力しないように構成されている。
【００３０】
信号分離部１８は、ＭＨＬケーブル１００を介して取得した携帯端末２の映像信号および音声信号を分離するとともに、映像信号および音声信号をそれぞれスケーリング部１９およびミキシング部２４に出力するように構成されている。
【００３１】
スケーリング部１９は、コンテンツ再生時の携帯端末２の表示画像２ｃ（図４参照）のみが表示部１１に表示される場合には、携帯端末２の映像（表示画像２ｃ）をテレビジョン装置１の表示部１１の画面サイズに合うように、適切なサイズにスケーリング（拡大または縮小）するように構成されている。また、スケーリング部１９は、元々表示装置１に表示されていた表示装画像１ａと、コンテンツ非再生時の携帯端末２の表示画像２ｂ（図３参照）とを同時に表示部１１に表示する場合には、両方の表示画像が表示部１１に表示可能なように、表示画像２ｂのサイズを適切なサイズにスケーリングするように構成されている。また、スケーリング部１９は、テレビジョン装置１の表示画像１ａのみが表示部１１に表示される場合には、オーバーレイ部２０に表示画像２ｂの情報を出力しないように構成されている。
【００３２】
オーバーレイ部２０は、スケーリング部１７および／またはスケーリング部１９から入力された表示画像に関する情報に基づいて、表示部１１の画面に重ねる（表示する）表示画像を作成するように構成されている。
【００３３】
ブレンド部２１は、オーバーレイ部２０から出力された表示画像と、グラフィックス処理部１５から出力されたＥＰＧの表示画像とをブレンドするように構成されている。
【００３４】
画像処理部２２は、表示部１１に表示される表示画像の補正を行うように構成されている。すなわち、画像処理部２２は、輝度、色味、コントラストなどの画質補正を行うように構成されている。そして、画質処理部２２により画質の補正が行われた表示画像が表示部１１に表示される。
【００３５】
オーディオデコーダ２３は、放送波に含まれる符号化された音声信号を複号するとともに、ミキシング部２４に出力するように構成されている。
【００３６】
ミキシング部２４は、信号分離部１８からの携帯端末２の音声信号およびオーディオデコーダ２３からの放送波の音声信号が入力されるように構成されている。また、ミキシング部２４は、テレビジョン装置１の表示画像１ａ（図１参照）のみが表示部１１に表示される場合、および、元々表示装置１に表示されていた表示装画像１ａと、コンテンツ非再生時の携帯端末２の表示画像２ｂ（図３参照）とを同時に表示部１１に表示する場合には、放送波の音声信号をＤ／Ａコンバータ２５に出力するように構成されている。また、ミキシング部２４は、コンテンツ再生時の携帯端末２の表示画像２ｃ（図４参照）のみが表示部１１に表示される場合には、携帯端末２の音声信号をＤ／Ａコンバータ２５に出力するように構成されている。
【００３７】
Ｄ／Ａコンバータ２５は、ミキシング部２４から出力されたデジタル信号である音声信号をアナログ信号に変換するように構成されている。
【００３８】
スピーカ部２６は、Ｄ／Ａコンバータ２５から入力された音声信号を外部に出力するように構成されている。
【００３９】
制御部２７は、通信部１３を介して携帯端末２から取得した制御信号に基づいて、テレビジョン装置１の各構成要素（二点鎖線で囲む）を制御するように構成されている。
【００４０】
携帯端末２は、図２に示すように、通信部３１と、加速度センサ３２と、ジャイロセンサ３３とを備えている。
【００４１】
通信部３１は、ＭＨＬケーブル１００を介してテレビジョン装置１の通信部１３と通信するように構成されている。また、通信部３１は、ＭＨＬケーブル１００を介してテレビジョン装置１に対して携帯端末２の映像信号、音声信号、制御信号などの情報を送信するように構成されている。
【００４２】
加速度センサ３２は、携帯端末２の位置および姿勢の変化に関する情報を検出するように構成されている。具体的には、加速度センサ３２は、携帯端末２の位置が移動した場合、または、携帯端末２の姿勢が傾いた場合の変化に伴う加速度を検出するように構成されている。また、加速度センサ３２は、携帯端末２のＸ軸、Ｙ軸、Ｚ軸の３軸に対応する加速度を検出するように構成されている。また、加速度センサ３２は、検出した携帯端末２の位置および姿勢の変化に関する情報を通信部３１に出力するように構成されている。そして、通信部３１は、加速度センサ３２により検出された携帯端末２の位置および姿勢の変化に関する情報を制御信号として、テレビジョン装置１に送信する。なお、加速度センサ３２により検出された携帯端末２の位置および姿勢の変化に関する情報は、本発明の「第１情報」の一例である。
【００４３】
ジャイロセンサ３３は、携帯端末２の姿勢の変化に関する情報を検出するように構成されている。具体的には、ジャイロセンサ３３は、携帯端末２が回転された場合の変化に伴う角速度を検出するように構成されている。また、ジャイロセンサ３３は、携帯端末２のＸ軸、Ｙ軸、Ｚ軸の３軸周りの回転に対応する角速度を検出するように構成されている。また、ジャイロセンサ３３は、検出した携帯端末２の姿勢の変化に関する情報を通信部３１に出力するように構成されている。これにより、加速度センサ３２とジャイロセンサ３３との両方のセンサにより携帯端末２の姿勢を検出することができるので、加速度センサ３２のみにより姿勢を検出する場合と異なり、携帯端末２の姿勢を正確に把握することが可能である。そして、通信部３１は、ジャイロセンサ３３により検出された携帯端末２の姿勢の変化に関する情報をも制御信号として、テレビジョン装置１に送信する。なお、ジャイロセンサ３３により検出された携帯端末２の姿勢の変化に関する情報も、本発明の「第１情報」の一例である。
【００４４】
次に、図１〜図４を参照して、携帯端末２の表示画像２ｂおよび２ｃを表示部１１に表示させる場合について説明する。
【００４５】
ここで、第１実施形態では、まず、ユーザは、図１に示すように、テレビジョン装置１と携帯端末２とをＭＨＬケーブル１００により接続する。この接続された段階では、表示部１１には表示画像１ａのみが表示されている。そして、ユーザは、携帯端末２の有するコンテンツをテレビジョン装置１において視聴するために、携帯端末２を把持してコンテンツ再生操作を始める。このコンテンツ再生操作とは、メディアプレーヤなどのソフトウェアを起動して、コンテンツの再生を始めるための操作のことである。この時、ユーザにより把持された携帯端末２は、ユーザのコンテンツ再生操作に付随して発生する動作に伴い、自然と位置および／または姿勢が変化する。この結果、携帯端末２の位置および／または姿勢の変化が加速度センサおよび／またはジャイロセンサにより検出されるとともに、検出結果が制御信号としてテレビジョン装置１に送信される。そして、位置および／または姿勢の変化に関する情報（制御信号）がテレビジョン装置１の制御部２７（図２参照）により取得される。その後、制御部２７は、取得した情報に基づいて、図３に示すように、元々表示装置１に表示されていた表示画像１ａと、コンテンツ非再生時の携帯端末２の表示画像２ｂとを同時に表示部１１に表示させる制御を行う。すなわち、テレビジョン装置１では、携帯端末２の位置および／または姿勢の変化した場合に、表示部１１に表示画像１ａと表示画像２ｂとが同時に表示される。
【００４６】
そして、ユーザは、引き続き携帯端末２のコンテンツ再生操作を行うとともに、携帯端末２においてコンテンツを再生する。これにより、携帯端末２においてコンテンツが再生されている状態としての制御信号がテレビジョン装置１に送信される。そして、コンテンツの再生状態に関する情報（制御信号）がテレビジョン装置１の制御部２７により取得されるとともに、取得された情報に基づいて、図４に示すように、コンテンツ再生時の携帯端末２の表示画像２ｃのみが表示部１１の全領域（全画面）にわたって表示される。すなわち、テレビジョン装置１では、携帯端末２のコンテンツが再生された場合に、表示部１１に表示画像２ｃが全画面表示される。なお、携帯端末２のコンテンツの再生状態に関する情報は、本発明の「第２情報」の一例である。
【００４７】
次に、図１〜図６を参照して、上述した表示画像切替処理についてフローチャートに基づいて説明する。
【００４８】
まず、図５に示すように、ステップＳ１０１において、携帯端末２（図２参照）と接続状態にあるか否かが制御部２７（図２参照）により判別される。携帯端末２と接続状態でないと判別された場合には、ステップＳ１０１の処理を繰り返す。
【００４９】
携帯端末２と接続状態であると判別された場合には、ステップＳ１０２において、携帯端末２の映像信号および音声信号が通信部１３（図２参照）により取得される。そして、ステップＳ１０３において、携帯端末２の位置および／または姿勢の変化に関する情報、および、コンテンツの再生状態に関する情報が取得されたか否かが制御部２７により判別される。携帯端末２の位置および／または姿勢の変化に関する情報、および、コンテンツの再生状態に関する情報が取得されない場合には、ステップＳ１１１（図６参照）に進む。ここで、携帯端末２の位置および／または姿勢の変化に関する情報、および、コンテンツの再生状態に関する情報が取得されない場合とは、たとえば、表示画像切替処理に対応していない（対応する制御信号を送信しない）携帯端末がテレビジョン装置１に接続された場合などが挙げられる。
【００５０】
携帯端末２の位置および／または姿勢の変化に関する情報、および、コンテンツの再生状態に関する情報が取得された場合には、表示画像切替処理に対応する携帯端末であると判別され、ステップＳ１０４に進む。そして、ステップＳ１０４において、携帯端末２によりコンテンツが再生されているか否かが制御部２７により判別される。コンテンツが再生されていない（非再生状態）と判別された場合には、ステップＳ１０５において、携帯端末２の位置および／または姿勢の変化があるか否かが制御部２７により判別される。携帯端末２の位置および／または姿勢の変化がないと判別された場合には、ステップＳ１０６において、テレビジョン装置１（図２参照）の表示画像１ａ（図１参照）が制御部２７により表示部１１（図２参照）に全画面表示される。より詳細には、このステップＳ１０６では、表示部１１に表示画像１ａが表示されていた場合には、引き続き表示画像１ａが表示されるとともに、表示部１１に携帯端末２の表示画像２ｂ（図３参照）または２ｃ（図４参照）が表示されていた場合には、表示画像１ａに切り替える処理が行われる。つまり、ユーザによりコンテンツの視聴が終了した場合などには、ユーザが特別な操作をすることなく元々テレビジョン装置１に表示されていた表示画像１ａが制御部２７により表示される。
【００５１】
また、ステップＳ１０５において、携帯端末２の位置および／または姿勢の変化があると判別された場合には、ステップＳ１０７において、テレビジョン装置１に表示されていた表示画像１ａと、携帯端末２の表示画像２ｂとが制御部２７により表示部１１に表示される。ユーザがテレビジョン装置１と携帯端末２とを接続してからコンテンツ再生操作を行う場合には、通常このステップＳ１０７の処理が実行されることになる。
【００５２】
また、ステップＳ１０４において、コンテンツが再生されている（再生状態）と判別された場合には、ステップＳ１０８において、携帯端末２のコンテンツ再生時における表示画像２ｃが制御部２７により表示部１１に全画面表示される。すなわち、ステップＳ１０８においては、携帯端末２の位置および／または姿勢の変化に関わらず、携帯端末２のコンテンツの再生状態に関する情報に基づいて、携帯端末２のコンテンツ再生時における表示画像２ｃが制御部２７により表示部１１に全画面表示される。
【００５３】
ステップＳ１０６、Ｓ１０７またはＳ１０８において表示部１１に対応する表示画像が表示された後、ステップＳ１０９において、再び携帯端末２と接続状態にあるか否かが制御部２７により判別される。携帯端末２と接続状態であると判別された場合には、ステップＳ１０４以降の処理動作を繰り返し、携帯端末２と接続状態でないと判別された場合には、ステップＳ１１０において、テレビジョン装置１の表示画像１ａが制御部２７により表示部１１に全画面表示される。
【００５４】
また、ステップＳ１０３において、携帯端末２の位置および／または姿勢の変化に関する情報およびコンテンツの再生状態に関する情報が取得されない場合には、図６に示すように、ステップＳ１１１において、ユーザによりテレビジョン装置１の表示画像選択（入力ソース選択）操作が行われることにより、表示部１１に表示される表示画像が設定される。ユーザにより携帯端末２の表示画像（表示画像２ｂまたは２ｃ）を表示するように設定された場合には、ステップＳ１１２において、携帯端末２の表示画像（表示画像２ｂまたは２ｃ）が制御部２７により表示部１１に全画面表示される。また、ユーザによりテレビジョン装置１の表示画像１ａを表示するように設定された場合には、ステップＳ１１３において、テレビジョン装置１の表示画像１ａが制御部２７により表示部１１に全画面表示される。このようにして、本発明の第１実施形態によるテレビジョン装置１の表示画像切替処理は実行される。
【００５５】
第１実施形態では、以下のような効果を得ることができる。
【００５６】
第１実施形態では、上記のように、携帯端末２の位置および／または姿勢の変化に関する情報を取得するとともに、取得した携帯端末２の位置および／または姿勢の変化に関する情報に基づいて、携帯端末２の表示画面２ａに表示される表示画像２ｂをテレビジョン装置１の表示部１１に表示させる制御を行うように制御部２７を構成することによって、ユーザが携帯端末２を把持して使用する際（ユーザが携帯端末２のコンテンツを表示部１１に表示させようとする際）に付随して発生する携帯端末２の位置や姿勢の変化に基づいて、携帯端末２の表示画像２ｂを表示部１１に表示させることができる。これにより、映像選択（入力ソース選択）などの操作が不要となり、ユーザは、そのままコンテンツの再生操作を行うことにより、コンテンツとしての携帯端末２の表示画像２ｃを視聴することができる。この結果、携帯端末２のコンテンツをテレビジョン装置１の表示部１１に表示させるための操作が煩雑になることを抑制することができるので、ユーザの利便性を向上することができる。
【００５７】
また、第１実施形態では、上記のように、携帯端末２の位置および／または姿勢の変化に関する情報に基づいて、携帯端末２の位置および／または姿勢が変化したと判別された場合には、携帯端末２の表示画像２ｂを表示部１１に表示させる制御を行うように制御部２７を構成する。これにより、ユーザが携帯端末２のコンテンツとしての携帯端末２の表示画像２ｃをテレビジョン装置１の表示部１１に表示させようとする際の動作に付随する位置変化や姿勢変化に柔軟に対応して表示部１１への表示を行うことができるので、ユーザの利便性をより向上することができる。
【００５８】
また、第１実施形態では、上記のように、携帯端末２の位置および／または姿勢の変化に関する情報に基づいて、携帯端末２の位置および／または姿勢が変化したと判別された場合には、表示部１１に表示されていた表示画像１ａと、携帯端末２の表示画像２ｂとの両方を表示部１１に表示させる制御を行うように制御部２７を構成する。これにより、ユーザは、テレビジョン装置１の一の表示部１１においてテレビジョン装置１の表示画像１ａと携帯端末２の表示画像２ｂとの両方の表示画像を同時に享受することができる。また、携帯端末２のコンテンツ再生時の表示画像２ｃに先駆けて、携帯端末２の表示画像２ｂを表示部１１に表示させることができるので、これから携帯端末２のコンテンツを視聴することを携帯端末２を操作しているユーザ以外のユーザに予め周知することができる。
【００５９】
また、第１実施形態では、上記のように、さらに携帯端末２のコンテンツの再生状態に関する情報を取得するとともに、携帯端末２の位置および／または姿勢の変化に関する情報に関わらず、携帯端末２のコンテンツの再生状態に関する情報に基づいて携帯端末２のコンテンツが再生されていると判別された場合には、携帯端末２の表示画像２ｃを表示部１１に表示させる制御を行うように制御部２７を構成する。これにより、携帯端末２の位置および／または姿勢の変化に関する情報を取得できない場合にも、携帯端末２のコンテンツの再生状態に関する情報に基づいて携帯端末２の表示画像２ｃを表示部１１に確実に表示させることができる。また、携帯端末２のコンテンツが再生されている場合には、ユーザにより特別な操作をすることなく携帯端末２の表示画像２ｃをテレビジョン装置１の表示部１１に表示させることができるので、携帯端末２のコンテンツをテレビジョン装置１の表示部１１に表示させるための操作が煩雑になることをより抑制することができる。
【００６０】
また、第１実施形態では、上記のように、携帯端末２のコンテンツの再生状態に関する情報に基づいて、携帯端末２のコンテンツが再生されていると判別された場合には、携帯端末２の表示画像２ｃを表示部１１の全領域（全画面）にわたって表示させる制御を行うように制御部２７を構成する。これにより、ユーザは、携帯端末２のコンテンツを再生するだけで特別な操作を要することなく、全画面表示状態でコンテンツとしての携帯端末２の表示画像２ｃを視聴することができる。これにより、ユーザの利便性をさらに向上することができる。
【００６１】
また、第１実施形態では、上記のように、携帯端末２のコンテンツの再生状態に関する情報に基づいて携帯端末２のコンテンツが再生されていないと判別された場合で、かつ、携帯端末２の位置および姿勢の変化に関する情報に基づいて携帯端末２の位置および姿勢が変化していないと判別された場合には、コンテンツ再生中に表示部１１に表示されていた携帯端末２の表示画像２ｃの前に表示部１１に表示されていたテレビジョン装置１の表示画像１ａを表示部１１に表示させる制御を行うように制御部２７を構成する。これにより、たとえば、コンテンツの再生（視聴）終了後など、携帯端末２の表示画像２ｂまたは２ｃを表示部１１に表示させる必要がない場合には、ユーザにより特別な操作をすることなく、コンテンツ再生中に表示部１１に表示させた携帯端末２の表示画像２ｃの前に元々表示されていたテレビジョン装置１の表示画像１ａを表示部１１に表示させる（戻す）ことができる。これにより、テレビジョン装置１の表示切替操作が煩雑になることを抑制することができるので、ユーザの利便性をより向上することができる。
【００６２】
また、第１実施形態では、上記のように、通信部１３を介して携帯端末２と接続されていないと判別された場合には、コンテンツ再生中に表示部１１に表示されていた携帯端末２の表示画像２ｃの前に表示部１１に表示されていたテレビジョン装置１の表示画像１ａを表示部１１に表示させる制御を行うように制御部２７を構成する。これにより、携帯端末２とテレビジョン装置１との接続状態が解除された場合にも、ユーザにより特別な操作をすることなく、再生中に表示部１１に表示させた携帯端末２の表示画像２ｃの前に元々表示されていたテレビジョン装置１の表示画像１ａを表示部１１に表示させる（戻す）ことができる。これによっても、ユーザの利便性を向上することができる。
【００６３】
（第２実施形態）
次に、図４および図７〜図１０を参照して、第２実施形態について説明する。この第２実施形態では、上記第１実施形態とは異なり、テレビジョン装置１０１および携帯端末１０２が、それぞれＧＰＳ（Ｇｌｏｂａｌ  Ｐｏｓｉｔｉｏｎｉｎｇ  Ｓｙｓｔｅｍ）センサ１２８および１３４を備え、携帯端末１０２のテレビジョン装置１０１に対する相対位置に基づいて表示画像および出力される音量が調整される例について説明する。なお、テレビジョン装置１０１は、本発明の「表示装置」の一例である。また、携帯端末１０２は、本発明の「電子機器」の一例である。
【００６４】
テレビジョン装置１０１は、図７に示すように、テレビジョン装置１０１の地球上の位置を検出するためのＧＰＳセンサ１２８をさらに備えている。また、携帯端末１０２は、テレビジョン装置１０１と同様に、携帯端末１０２の地球上の位置を検出するためのＧＰＳセンサ１３４をさらに備えている。また、携帯端末１０２は、ＧＰＳセンサ１３４により取得した自身の位置（携帯端末１０２の位置）に関する情報を制御信号として、通信部３１を介してテレビジョン装置１に送信可能に構成されている。なお、図２に示した上記第１実施形態と同一の構成については、同じ符号を付してその説明を省略する。
【００６５】
テレビジョン装置１０１において、制御部２７は、制御信号として受信した携帯端末１０２の位置に関する情報を取得するように構成されている。また、制御部２７は、取得した携帯端末１０２の位置と、ＧＰＳ１２８により検出された自身の位置（テレビジョン装置１０１の位置）とから、携帯端末１０２のテレビジョン装置１０１に対する相対位置を算出するように構成されている。なお、携帯端末１０２の位置に関する情報は、本発明の「第３情報」の一例である。
【００６６】
ここで、第２実施形態では、制御部２７は、携帯端末１０２のテレビジョン装置１０１に対する相対位置に基づいて、表示部１１に表示される表示画像およびスピーカ部２６により出力される音量を変化させるように構成されている。具体的には、制御部２７は、図８に示すように、テレビジョン装置１０１の表示画像１ａと携帯端末１０２の表示画像２ｂとが表示部１１に表示されている場合に、携帯端末１０２のテレビジョン装置１０１に対する相対位置に基づいて、携帯端末１０２の表示画像２ｂの表示部１１における表示サイズおよび表示位置を変化させるように構成されている。また、表示画像１ａについても、表示画像２ｂの変化に伴って表示サイズおよび表示位置が変化するが、以下では説明を分かり易くするために、表示画像２ｂの変化についてのみ述べている。制御部２７は、携帯端末１０２がテレビジョン装置１０１に対して相対的に右側にある場合には、表示画像２ｂを右側に表示させ、相対的に左側にある場合には、表示画像２ｂを左側に表示させる制御を行う。また、制御部２７は、携帯端末１０２がテレビジョン装置１０１に対して相対的に近い場合には、表示画像２ｂのサイズを小さく表示させるとともに、相対的に遠い場合には、表示画像２ｂのサイズを大きく表示させる制御を行う。
【００６７】
また、第２実施形態では、制御部２７は、スピーカ部２６により出力される音量を変化させる場合には、図９に示すように、携帯端末１０２がテレビジョン装置１０１に対して相対的に右側にある場合には、右側の音量を大きくして出力させ、相対的に左側にある場合には、左側の音量を大きくして出力させる制御を行う。また、制御部２７は、携帯端末１０２がテレビジョン装置１０１に対して相対的に近い場合には、左右両側の音量を小さくして出力させるとともに、相対的に遠い場合には、左右両側の音量を大きくして出力させる制御を行う。
【００６８】
次に、図４、図７、図８および図１０を参照して、この第２実施形態による表示画像切替処理についてフローチャートに基づいて説明する。なお、図５および図６に示した上記第１実施形態と同一の処理については、同じ符号を付してその説明を省略する。
【００６９】
ステップＳ１０３において、図１０に示すように、携帯端末１０２（図７参照）の位置および／または姿勢の変化に関する情報、および、コンテンツの再生状態に関する情報が取得された場合には、表示画像切替処理に対応する携帯端末であると判別されて、ステップＳ１２１に進む。そして、ステップＳ１２１において、ＧＰＳセンサ１３４（図７参照）により検出された携帯端末１０２の位置に関する情報が通信部１３（図７参照）を介して制御部２７（図７参照）により取得される。そして、ステップＳ１２２において、携帯端末１０２のテレビジョン装置１０１に対する相対位置が制御部２７により算出される。
【００７０】
そして、ステップＳ１２３において、携帯端末１０２の位置および／または姿勢の変化があるか否かが制御部２７により判別される。携帯端末１０２の位置および／または姿勢の変化がない場合には、ステップＳ１０４ｂにおいて、携帯端末２によりコンテンツが再生されているか否かが制御部２７により判別される。
【００７１】
また、携帯端末１０２の位置および／または姿勢の変化がある場合には、ステップＳ１２４において、携帯端末１０２のテレビジョン装置１０１に対する相対位置に応じてスピーカ部２６から出力される音量が制御部２７により調整されるとともに、調整された音量が設定される。そして、ステップＳ１０４ａにおいて、携帯端末１０２によりコンテンツが再生されているか否かが制御部２７により判別される。コンテンツが再生されている（再生状態）と判別された場合には、ステップＳ１０８に進み、携帯端末１０２のコンテンツ再生時における表示画像２ｃ（図４参照）が制御部２７により表示部１１（図７参照）に全画面表示される。また、この場合には、ステップＳ１２４において設定された携帯端末１０２のテレビジョン装置１０１に対する相対位置に応じた音量の音声がスピーカ部２６により出力される。
【００７２】
また、ステップ１０４ａにおいて、コンテンツが再生されていない（非再生状態）と判別された場合には、ステップＳ１２５において、携帯端末１０２のテレビジョン装置１０１に対する相対位置に応じて表示サイズおよび表示位置が変化された携帯端末１０２の表示画像２ｂ（図８参照）と、テレビジョン装置１０１の表示画像１ａ（図８参照）とが制御部２７により表示部１１に表示される。以降の処理動作は、図５におけるステップＳ１０９およびステップＳ１１０と同様に実施される。また、図６におけるステップＳ１１１〜ステップＳ１１３についても同様である。
【００７３】
なお、第２実施形態のその他の構成は、上記第１実施形態と同様である。
【００７４】
第２実施形態では、以下のような効果を得ることができる。
【００７５】
第２実施形態では、上記のように、テレビジョン装置１０１の表示画像１ａと携帯端末１０２の表示画像２ｂとの両方を表示部１１に表示させる場合に、さらに携帯端末１０２の表示部１１（テレビジョン装置１０１）に対する相対位置に関する情報（ＧＰＳセンサ１３４により検出された携帯端末１０２の位置に関する情報）を取得するとともに、携帯端末１０２の表示部１１（テレビジョン装置１０１）に対する相対位置に関する情報に基づいて携帯端末１０２の表示部１１に対する相対位置を把握し、把握した携帯端末１０２の表示部１１に対する相対位置に応じて、携帯端末１０２の表示画像２ｂの表示部１１における表示位置および表示サイズを変化させる制御を行うように制御部２７を構成する。これにより、携帯端末１０２の表示部１１に対する相対位置を把握することにより、携帯端末１０２の近傍に存在すると考えられるユーザの表示部１１に対する相対位置を推定（仮定）することができる。これにより、推定されたユーザの表示部１１に対する相対位置に応じて、携帯端末１０２の表示画像２ｂの表示部１１における表示位置および表示サイズを適切に変化させることができる。この結果、ユーザは、ユーザの表示部１１に対する相対位置に応じた適切な携帯端末１０２の表示画像２ｂを享受することができる。
【００７６】
また、第２実施形態では、上記のように、携帯端末１０２の表示部１１に対する相対位置に関する情報を取得するとともに、携帯端末１０２の表示部１１に対する相対位置に関する情報に基づいて携帯端末１０２の表示部１１に対する相対位置を把握し、把握した携帯端末１０２の表示部１１に対する相対位置に応じて、スピーカ部２６から出力される音声の音量を変化させる制御を行うように制御部２７を構成する。これにより、携帯端末１０２の表示部１１に対する相対位置から、ユーザの表示部１１に対する相対位置を推定するとともに、推定されたユーザの表示部１１に対する相対位置に応じた適切な音量の音声を出力することができる。
【００７７】
なお、第２実施形態のその他の効果は、上記第１実施形態と同様である。
【００７８】
（第３実施形態）
次に、図７および図１１を参照して、第３実施形態について説明する。この第３実施形態では、上記第２実施形態とは異なり、テレビジョン装置２０１がＧＰＳセンサを備えていない例について説明する。
【００７９】
ここで、第３実施形態では、テレビジョン装置２０１は、図１１に示すように、携帯端末１０２とＭＨＬケーブル１００を介して接続された状態で、携帯端末１０２に対するテレビジョン装置２０１の現在の位置情報を入力するための設定メニュー画像２０１ｂが表示されるように構成されている。
【００８０】
この設定メニュー画像２０１ｂが表示された場合には、ユーザは、たとえば、テレビジョン装置２０１に付属するリモコンにより、携帯端末１０２に対するテレビジョン装置２０１の現在の位置を設定することができる。具体的には、ユーザは、携帯端末１０２に対するテレビジョン装置２０１の中心部（表示部１１の中央近傍）までの距離、および、表示部１１の画面に対する法線方向を０度とした場合の表示部１１と携帯端末１０２とがなす角度、および、表示部１１の中央近傍に対して携帯端末１０２が左右いずれの側にあるかなどの情報を入力することができる。この結果、現在の携帯端末１０２とテレビジョン装置２０１との相対位置が規定されるので、以降は規定された相対位置を基準として、ＧＰＳセンサ１３４（図７参照）により検出される携帯端末１０２の位置の変化を補正することにより、携帯端末１０２とテレビジョン装置２０１との相対位置を制御部２７（図７参照）により把握することができる。
【００８１】
なお、第３実施形態のその他の構成は、上記第２実施形態と同様である。
【００８２】
第３実施形態では、以下のような効果を得ることができる。
【００８３】
第３実施形態では、上記のように、携帯端末１０２に対するテレビジョン装置２０１の位置がユーザにより設定されることによって、テレビジョン装置２０１がＧＰＳセンサを備えていない場合にも、第２実施形態と同様に、携帯端末１０２のテレビジョン装置２０１に対する相対位置を把握することができる。したがって、携帯端末１０２のテレビジョン装置２０１に対する相対位置に応じて、携帯端末１０２の表示画像２ｂの表示位置および表示サイズを変化させるような制御や、音量を調整するような制御を行うことができる。
【００８４】
なお、第３実施形態のその他の効果は、上記第２実施形態と同様である。
【００８５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８６】
たとえば、上記第１〜第３実施形態では、携帯端末２（１０２）の位置および／または姿勢の変化に関する情報に基づいてテレビジョン装置１（１０１、２０１）に表示画像１ａおよび表示画像２ｂを同時に表示部１１に表示させた例を示したが、本発明はこれに限られない。本発明では、図１２に示す第１変形例のテレビジョン装置３０１のように、位置および／または姿勢の変化に関する情報に基づいて表示画像２ｂを表示部１１に全画面表示させてもよい。
【００８７】
また、上記第２および第３実施形態では、携帯端末１０２の表示部１１に対する相対位置に関する情報に基づいて、表示画像２ｂの表示部１１における表示サイズおよび表示位置を変化させた例を示したが、本発明はこれに限られない。本発明では、図１３に示す第２変形例のテレビジョン装置４０１のように、さらに加速度センサ３２やジャイロセンサ３３による携帯端末１０２の姿勢の変化に基づいて、表示部１１に表示されている表示画像２ｂの表示向きを変化させてもよい。たとえば、携帯端末１０２の姿勢が横向きの状態の場合には、表示部１１に横向きの表示画像２ｂを表示させるとともに、携帯端末１０２の姿勢が縦向きに変化した場合には、携帯端末１０２の姿勢の変化に追従して、表示部１１に縦向きの表示画像２ｂを表示させるようにしてもよい。
【００８８】
また、上記第１〜第３実施形態では、携帯端末２（１０２）のコンテンツが再生されていると判別された場合には、常に携帯端末２（１０２）の表示画像２ｃが表示部１１に全画面表示された例を示したが、本発明はこれに限られない。本発明では、携帯端末２（１０２）のコンテンツが再生されていると判別された場合にも、携帯端末２（１０２）の位置および／または姿勢が変化した場合と同様に、テレビジョン装置１（１０１、２０１）の表示画像１ａと、携帯端末２（１０２）の表示画像２ｃとの両方を同時に表示部１１に表示させてもよい。
【００８９】
また、上記第１〜第３実施形態では、携帯端末２（１０２）のコンテンツが再生されていると判別された場合には、携帯端末２（１０２）の位置および／または姿勢が変化に関わらず、表示画像２ｃが表示部１１に全画面表示された例を示したが、本発明はこれに限られない。本発明では、表示画像２ｃが表示部１１に全画面表示されている場合にも、携帯端末２（１０２）の位置および／または姿勢の変化に関する情報に基づいて、表示画像２ｃと表示画像１ａとを同時に表示部１１に表示させてもよい。このように構成すれば、ユーザは、携帯端末２（１０２）のコンテンツが再生されている場合にも、テレビジョン装置１（１０１、２０１）の表示画像１ａを容易に確認することができる。
【００９０】
また、上記第１〜第３実施形態では、加速度センサ３２およびジャイロセンサ３３により携帯端末２（１０２）の位置および／または姿勢の変化を検出した例を示したが、本発明はこれに限られない。本発明では、加速度センサ３２のみにより携帯端末２（１０２）の位置および／または姿勢の変化を検出してもよい。
【００９１】
また、上記第１〜第３実施形態では、ＭＨＬケーブル１００によりテレビジョン装置１（１０１、２０１）と携帯端末２（１０２）とを接続した例を示したが、本発明はこれに限られない。本発明では、テレビジョン装置１（１０１、２０１）と携帯端末２（１０２）との通信が可能であればＭＨＬケーブル以外の接続方法で接続してもよい。たとえば、ＭＨＬケーブルの代わりに、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルにより接続してもよい。また、テレビジョン装置１（１０１、２０１）と携帯端末２（１０２）との接続は、有線の接続のみならず、無線接続により実現されてもよい。この場合、第２および第３実施形態に示した、テレビジョン装置１０１（２０１）と携帯端末１０２との相対位置に応じて表示画像および音量を変化させる構成において、より顕著な効果を得ることができる。
【００９２】
また、上記第第３実施形態では、現在の携帯端末１０２とテレビジョン装置２０１との相対位置を規定し、規定した相対位置を基準として、ＧＰＳセンサ１３４により検出される携帯端末１０２の位置の変化を補正した例を示したが、本発明はこれに限られない。本発明では、加速度センサ３２の情報に基づいて携帯端末１０２の位置の変化を補正してもよい。
【００９３】
また、第１および第２実施形態では、説明の便宜上、本発明の制御部２７の処理を処理フローに沿って順番に処理を行うフロー駆動型のフローチャートを用いて説明したが、本発明はこれに限られない。本発明では、制御部２７の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９４】
１、１０１、２０１、３０１、４０１  テレビジョン装置（表示装置）
１ａ  表示画像
２、１０２  携帯端末（電子機器）
２ａ  表示画面（電子機器側表示画面）
２ｂ、２ｃ  表示画像（電子機器側表示画像）
２６  スピーカ部
２７  制御部
【図１】
2015076802.tif 000003
【図２】
2015076802.tif 000004
【図３】
2015076802.tif 000005
【図４】
2015076802.tif 000006
【図５】
2015076802.tif 000007
【図６】
2015076802.tif 000008
【図７】
2015076802.tif 000009
【図８】
2015076802.tif 000010
【図９】
2015076802.tif 000011
【図１０】
2015076802.tif 000012
【図１１】
2015076802.tif 000013
【図１２】
2015076802.tif 000014
【図１３】
2015076802.tif 000015